(57)【要約】      （修正有）【課題】アクセサリーグッズにおける装飾性と、遊戯玩具におけるゲーム性を備え、さらに動物の肉球部位における癒し性を備えたキーチェーン玩具を提供する。【解決手段】動物の肉球部位を備えるキーチェーン玩具１０は、動物の足型形状を模る足型部位２０と肉球部位２１とで構成されるものであって、足部部位２０はキーチェーン金具３０が設けられるキャップ部２７と収納部２８が設けられる胴部２４に分割する。肉球部位２１はポリエチレンやシリコンなどの軟質な合成樹脂材料で立体的に成型して動物の肉球部位２１を模った形状で配置され、全体足型形状を被毛２６で覆ったものである。【選択図】図１
0003161540.tif 000002
【実用新案登録請求の範囲】
【請求項１】
動物の足型形状を模る足型部位と、肉球部位と、で構成される動物の肉球部位を備えるキーチェーン玩具であって、
前記足部部位は、キーチェーン金具が設けられるキャップ部と、収納部が設けられる胴部に分割され、
前記肉球部位は、軟質な合成樹脂材料で立体的に成型すると共に、動物の肉球部位を模った形状で配置され、
全体足型形状を被毛で覆ったことを特徴とする動物の肉球部位を備えるキーチェーン玩具。
【請求項２】
前記肉球部位間の肉球指股周辺に通気孔を設け、
該肉球指股を指先で触れることによって、前記収納部に内蔵される液体または固形またはゲル状のカプセル芳香剤が肉球部位間から芳香されることを特徴とする請求項１記載の動物の肉球部位を備えるキーチェーン玩具。
【請求項３】
前記足型部位の中央外側に警報出力装置を設け、
前記足型部位の収納部内に警報制御部を設け、
前記足型部位の狼爪部に引っ張り作動スイッチを設けて防犯警報器としたことを特徴とする請求項１記載のまたは請求項２記載の動物の肉球部位を備えるキーチェーン玩具。
【請求項４】
前記足型部位の中央外側に音声出力装置を設け、
前記足型部位の収納部内に音声制御部を設け、
前記足型部位の狼爪肉球部位に作動スイッチを設け、
前記肉球部位に軟質な合成樹脂材料で形成した押しボタンを具設してボタン付き玩具としたことを特徴とする請求項１記載のまたは請求項３記載のいずれか記載の動物の肉球部位を備えるキーチェーン玩具。
【考案の詳細な説明】
【技術分野】
【０００１】
本考案は、装飾性とゲーム性と癒し性を備えるキーチェーン玩具に関する。
【背景技術】
【０００２】
古来より、兎の足で作られた装飾品は、西洋では猟師が狩猟で射止めた数を誇る首飾りとして珍重され、また日本ではお守りやお呪いの象徴として身に纏っていたと言われている。現代においては、兎の足を模ってムートン状のキーホルダーやストラップなどの携帯用アクセサリーグッズとして販売されているが、これらは単なる装飾用のアクセサリーグッズとしての特性を満たしているに過ぎず、遊戯玩具や癒し系玩具としての特性を備えるものでなかった。
【０００３】
また、ポリエチレン製の無数の気泡をシート状にして潰した感覚を本物そっくりに再現したキーチェーン玩具（登録商標∞プチプチ）が提供されている。該玩具は「破裂音が快いプラスチック気泡シート」（特許文献1参照）ならびに「ボタン付き玩具」（特許文献２参照）として公知技術となっているが、該製品は気泡を潰した時の破裂音を楽しむ癒し感覚と、気泡部分を潰す感覚を何度でも繰り返して味わうゲーム的な要素を備えた遊戯玩具としての特性を有しているに過ぎず、装飾的なアクセサリーグッズとしての特性を備えるものでなかった。
【０００４】
一方、ペットをこよなく愛するペット愛好家においては、犬や猫を抱擁しながら指で肉球を愛撫してスキンシップを図ることは、ペット自身はもとより、飼い主自身も究極のリラクレーションとストレス解消につながるものであるが、住宅事情や家族構成、経済事情、ペットアネルギーなどによってペットを飼えない人や、忙しい現代社会のちょっとした時間の合間に癒される時間を得たい人においては、手軽に利用することができる癒し系グッズの提供が望まれるものであった。
【０００５】
尚、本明細書ならびに実用新案登録請求範囲で使われるボタン付き玩具の呼称は、「ボタン付き玩具」（特許文献２）の名称ならびに構造を引用するものである。
【先行技術文献】
【特許文献】
【０００６】
【特許文献１】特開２００３−２３６９５４号公報
【特許文献２】登録実用新案第３１３４２２１号公報
【考案の概要】
【考案が解決しようとする課題】
【０００７】
本考案は、上記問題点を鑑み、アクセサリーグッズにおける装飾性と、遊戯玩具におけるゲーム性を備え、さらに動物の肉球部位における癒し性を備えたキーチェーン玩具の提供を図るものである。
【課題を解決するための手段】
【０００８】
本考案は、動物の足型形状を模る足型部位と、肉球部位と、で構成される動物の肉球部位を備えるキーチェーン玩具であって、足部部位はキーチェーン金具が設けられるキャップ部と、収納部が設けられる胴部に分割され、肉球部位は軟質な合成樹脂材料で立体的に成型すると共に、動物の肉球部位を模った形状で配置され、全体足型形状を被毛で覆った手段を採る。
【０００９】
また、肉球部位間の肉球指股周辺に通気孔を設け、該肉球指股を指先で触れることによって、収納部に内蔵される液体または固形またはゲル状のカプセル芳香剤が肉球部位間から芳香される手段を採る。
【００１０】
また、足型部位の中央外側に警報出力装置を設け、足型部位の収納部内に警報制御部を設け、足型部位の狼爪部に引っ張り作動スイッチを設けて防犯警報器とした手段を採る。
【００１１】
また、足型部位の中央外側に音声出力装置を設け、足型部位の収納部内に音声制御部を設け、足型部位の狼爪肉球部位に作動スイッチを具設し、肉球部位に軟質な合成樹脂材料で形成した押しボタンを具設してボタン付き玩具とした手段を採る。
【考案の効果】
【００１２】
本考案による動物の肉球部位を備えるキーチェーン玩具によれば、肉球部位がポリエチレンやシリコンなどの軟質な合成樹脂材料で立体的に成型して動物の肉球部位を模った形状で配置されることによって、肉球部位ならびに肉球指股の心地よい肌触り感と、心理上のアフォーダンスを味わうことができるもので、ストレス解消効果とリラクレーション効果が同時に得られる優れた効果を奏する。
【００１３】
本考案による動物の肉球部位を備えるキーチェーン玩具によれば、指先や痴呆障害を持つ老人やリハビリ中の病人において、指先を動かして柔軟な肉球部位ならびに肉球指股に触れることは、脳の活性化と手足のリハビリ効果を高めることができるもので、医療効果における脳の活性化効果とリハビリ効果と癒し効果が同時に得られる優れた効果を奏する。
【００１４】
また、本考案による動物の肉球部位を備えるキーチェーン玩具によれば、全体足型形状を動物の種類別の被毛や色彩を施すことによって、個性豊かな飾身用のアクセサリーや、ネックレス、ストラップ、キーチェーングッズとして利用できる優れた効果を奏する。
【００１５】
また、本考案による動物の肉球部位を備えるキーチェーン玩具によれば、足部部位にキーチェーン金具が設けられ、キャップ部と収納部が分割して設けられることで小物入れとして利用できるもので、日常的に使われる、硬貨、お札、お守り、印鑑、薬、リップクリーム、口紅、鍵、筆記具、ゲームコイン、、ＵＳＢメモリーなどが収納できる優れた効果を奏する。
【００１６】
また、本考案による動物の肉球部位を備えるキーチェーン玩具によれば、肉球部位間の肉球指股周辺に通気孔を設け、該肉球指股を指先で触れることによって、収納部に内蔵される液体または固形またはゲル状のカプセル芳香剤が肉球部位間から芳香されることによって、肉球部位ならびに肉球指股の心地よい手触り感覚と香水の香りを嗅ぐことができる優れた効果を奏する。
【００１７】また、本考案による動物の肉球部位を備えるキーチェーン玩具によれば、足型部位を(公序良俗違反につき、不掲載）などの多彩なキャラクター人形で模った形状とすることで、キャラクター人形とのふれあい効果が図れると同時に癒し効果が得られる優れた効果を奏する。【００１８】
また、本考案による動物の肉球部位を備えるキーチェーン玩具によれば、収納部内に警報制御部を設け、足型部位の狼爪部を引っ張り作動スイッチとすることで、防犯警報器を初めとして、ペンライト、歩数計、時計、ＩＣコーダー、オルゴールなどのなどの携帯用の小型電気製品を収容できる優れた効果を奏する。
【００１９】
また、本考案による動物の肉球部位を備えるキーチェーン玩具によれば、足型部位の肉球部位を「破裂音が快いプラスチック気泡シート」（商標登録プチプチ）や「ボタン付き玩具」（商標登録∞プチプチ）とすることで、肉球の心地よい肌触り感ならびに破裂音と無限にできるゲーム性を同時に楽しむことができる優れた効果を奏する。
【００２０】
以上のように、本考案における動物の肉球部位を備えるキーチェーン玩具は、人間の五感に対して癒し効果を与えるもので、従来のアクセサリー玩具や遊戯玩具と比較して多くの優れた効果を持つものである。
【図面の簡単な説明】
【００２１】
【図１】本考案における動物の肉球部位を備えるキーチェーン玩具の請求項１記載の実施形態を示す説明図である。（実施例１）
【図２】本考案における動物の肉球部位を備えるキーチェーン玩具の請求項２記載の実施形態を示す説明図である。（実施例２）
【図３】本考案における動物の肉球部位を備えるキーチェーン玩具の請求項３記載の実施形態を示す説明図である。（実施例３）
【図４】本考案における動物の肉球部位を備えるキーチェーン玩具の請求項４記載の実施形態を示す説明図である。（実施例４）
【図５】本考案における動物の肉球部位を備えるキーチェーン玩具の別の実施形態を示す説明図である。（実施例５）
【考案を実施するための形態】
【００２２】
本考案は、動物の足型形状を模る足型部位と、肉球部位と、で構成される動物の肉球部位を備えるキーチェーン玩具であって、足部部位は、キーチェーン金具が設けられるキャップ部と、収納部が設けられる胴部に分割され、肉球部位は、軟質な合成樹脂材料で立体的に成型すると共に、動物の肉球部位を模った形状で配置され、全体足型形状を被毛で覆った手段と、肉球部位間の肉球指股周辺に通気孔を設け、該肉球指股を指先で触れることによって、収納部に内蔵される液体または固形またはゲル状のカプセル芳香剤が肉球部位間から芳香される手段と、足型部位の中央外側に警報出力装置を設け、足型部位の収納部内に警報制御部を設け、足型部位の狼爪部に引っ張り作動スイッチを設けて防犯警報器とした手段と、足型部位の中央外側に音声出力装置を設け、足型部位の収納部内に音声制御部を設け、足型部位の狼爪肉球部位に作動スイッチを設け、肉球部位に軟質な合成樹脂材料で形成した押しボタンを具設してボタン付き玩具とした手段を採ったことを最大の特徴とするもので、以下、実施例を図面を基に説明する。
【実施例１】
【００２３】
図１は、本考案における動物の肉球部位を備えるキーチェーン玩具の請求項１記載の実施形態を示す説明図である。図(a)は全体図を示し、図(b)は分割された状態を示す。
本考案の動物の肉球部位を備えるキーチェーン玩具１０は、動物の足型形状を模る足型部位２０と肉球部位２１とで構成されるものであって、足部部位２０はキーチェーン金具３０が設けられるキャップ部２７と収納部２８が設けられる胴部２４に分割され、肉球部位２１はポリエチレンやシリコンなどの軟質な合成樹脂材料で立体的に成型して動物の肉球部位２１を模った形状で配置され、全体足型形状を被毛２６で覆ったものである。
【００２４】
足型部位２０は、実際の犬や猫の足型形状の胴部２４を模って成型されるもので、材質はポリエチレンやシリコンなどの軟質の合成樹脂材料で形成され、表面は被毛で覆われるか、犬や猫の地肌面にあわせて色塗りされる。
【００２５】
肉球部位２１は、実際の犬や猫の足型形状の肉球を模って成型されるもので、材質はポリエチレンやシリコンなどの軟質の合成樹脂材料で立体的に成型され、表面は犬や猫の肉球部位２１の地肌面にあわせて表面処理される。
【００２６】
肉球指股２５は、実際の犬や猫の足型形状の肉球指股を模って成型されるもので、材質はポリエチレンやシリコンなどの軟質の合成樹脂材料で立体的に成型され、表面は犬や猫の肉球部位２１の地肌面にあわせて表面処理される。
【００２７】
被毛２６は、足型部位２０の表面に施され、犬や猫の種類にあわせてムートン状に形成される。また、被毛そのものを編み込んだり、多様なカラーで染めてカラーバリエーションを楽しむことができる。
【００２８】
キャップ部２７は、足型部位２０が分割される上部部分で、上端中心部にはキーチェーン金具３０が設けられ、飾身用のアクセサリー、ネックレス、ストラップ、キーホルダーとして多彩に利用することができるものである。また、小物入れの収納部２８の蓋の役目を果たすものである。
【００２９】
収納部２８は、足型部位２０が分割される下部部分の内面に設けられるもので、上端部は開口してキャップ部２７に嵌め合わされ、日常的に使われる硬貨、お札、お守り、印鑑、薬、リップクリーム、口紅、鍵、筆記具、ゲームコイン、ＵＳＢメモリーなどを収納することができるものである。
【実施例２】
【００３０】
図２は、本考案における動物の肉球部位を備えるキーチェーン玩具の請求項２記載の実施形態を示す説明図である。
通気孔２９は、肉球部位２１間の肉球指股２５に設けられ、該肉球指股２５を指先で触れることによって、収納部２８に内蔵される液体または固形またはゲル状のカプセル芳香体４０が肉球部位２１間の通気孔２９より芳香される構造を有する。
【００３１】
肉球指股２５は、実際の犬や猫の足型形状の肉球指股を模って立体的に成型されるもので、その独特な柔らかさや愛くるしい形状を手で触れる感触は何ともともいえない癒される感触が得られる形状を有するものである。
【実施例３】
【００３２】
図３は、本考案における動物の肉球部位を備えるキーチェーン玩具の請求項３記載の実施形態を示す説明図である。
足型部位２０の中央外側に警報出力装置３３を設け、収納部２８内に警報制御部３４を設け、足型部位２０の狼爪部２２に引っ張り作動スイッチ３４を設けて防犯警報器３１とするもので、その他にＧＰＳ、ＩＣコーダー、ペンライト、歩数計、時計、オルゴールなどの携帯用の小型電気製品を収容できるものである。
【実施例４】
【００３３】
図４は、本考案における動物の肉球部位を備えるキーチェーン玩具の請求項４記載の実施形態を示す説明図である。
足型部位２０の肉球部位２１を「破裂音が快いプラスチック気泡シート」（商標登録プチプチ）ならびに「ボタン付き玩具」（商標登録∞プチプチ）などとし、足型部位２０内の収納部２８に音声出力装置３６や音声制御部３７を内臓し、狼爪肉球部位２３に作動スイッチ３８を設け、肉球部位に軟質な合成樹脂材料で形成した押しボタンを具設して使用するもので、肉球部位２１における心地よい肌触り感と、快い破裂音と、無限にできるゲーム感覚を同時に楽しむことができるものである。
【実施例５】
【００３４】図５は、本考案における動物の肉球部位を備えるキーチェーン玩具の別の実施形態を示す説明図である。足型部位２０をキャラクター人形４１を模った形状とするもので、キャラクター人形４１は、（公序良俗違反につき、不掲載）などとすることで、アニメの世界のキャラクター人形４１との擬似的なふれあいが図れるものである。また、スケルトンタイプにすることによって収納部が透視できるため、ユーザー好みの小物を入れたりすることで個性豊かなキーチェーングッズの提供ができるものである。
【産業上の利用可能性】
【００３５】
本考案の動物の肉球部位を備えるキーチェーン玩具は、アクセサリーグッズとしてや、癒し系遊戯玩具や小物入れとしての使われ方ばかりではなく、指先や痴呆障害を持つ老人やリハビリ中の病人において、指先を動かすことによって楽しみながらリハビリ効果が上げられるリハビリ医療具として利用できるものであり、本発明による動物の肉球部位を備えるキーチェーン玩具の産業上の利用可能性は極めて高いものと解する。
【符号の説明】
【００３６】
１０    キーチェーン玩具
２０    足型部位
２１    肉球部位
２２    狼爪部
２３    狼爪肉球部位
２４    胴部
２５    肉球指股
２６    被毛
２７    キャップ部
２８    収納部
２９    通気孔
３０    キーチェーン金具
３１    防犯警報器
３２    警報出力装置
３３    警報制御部
３４    引っ張り作動スイッチ
３５    ボタン付き玩具
３６    音声出力装置
３７    音声制御部
３８    作動スイッチ
３９    押しボタン
４０    カプセル芳香剤
４１    キャラクター人形
【図１】
0003161540.tif 000003
【図２】
0003161540.tif 000004
【図３】
0003161540.tif 000005
【図４】
0003161540.tif 000006
【図５】
0003161540.tif 000007
【手続補正書】
【提出日】平成22年5月17日(2010.5.17)
【手続補正１】
【補正対象書類名】明細書
【補正対象項目名】０００８
【補正方法】変更
【補正の内容】
【０００８】  本考案は、動物の足型形状を模る足型部位と、肉球部位と、で構成される動物の肉球部位を備えるキーチェーン玩具であって、足型部位はキーチェーン金具が設けられるキャップ部と、収納部が設けられる胴部に分割され、肉球部位は軟質な合成樹脂材料で立体的に成型すると共に、動物の肉球部位を模った形状で配置され、全体足型形状を被毛で覆った手段を採る。
【手続補正２】
【補正対象書類名】明細書
【補正対象項目名】００１５
【補正方法】削除
【補正の内容】
【手続補正３】
【補正対象書類名】明細書
【補正対象項目名】００１７
【補正方法】変更
【補正の内容】
【００１７】また、本考案による動物の肉球部位を備えるキーチェーン玩具によれば、足型部位を人気有名キャラクター人形で模った形状とすることで、キャラクター人形とのふれあい効果が図れると同時に癒し効果が得られる優れた効果を奏する。
【手続補正４】
【補正対象書類名】明細書
【補正対象項目名】００２２
【補正方法】変更
【補正の内容】
【００２２】  本考案は、動物の足型形状を模る足型部位と、肉球部位と、で構成される動物の肉球部位を備えるキーチェーン玩具であって、足型部位は、キーチェーン金具が設けられるキャップ部と、収納部が設けられる胴部に分割され、肉球部位は、軟質な合成樹脂材料で立体的に成型すると共に、動物の肉球部位を模った形状で配置され、全体足型形状を被毛で覆った手段と、肉球部位間の肉球指股周辺に通気孔を設け、該肉球指股を指先で触れることによって、収納部に内蔵される液体または固形またはゲル状のカプセル芳香剤が肉球部位間から芳香される手段と、足型部位の中央外側に警報出力装置を設け、足型部位の収納部内に警報制御部を設け、足型部位の狼爪部に引っ張り作動スイッチを設けて防犯警報器とした手段と、足型部位の中央外側に音声出力装置を設け、足型部位の収納部内に音声制御部を設け、足型部位の狼爪肉球部位に作動スイッチを設け、肉球部位に軟質な合成樹脂材料で形成した押しボタンを具設してボタン付き玩具とした手段を採ったことを最大の特徴とするもので、以下、実施例を図面を基に説明する。
【手続補正５】
【補正対象書類名】明細書
【補正対象項目名】００２３
【補正方法】変更
【補正の内容】
【００２３】図１は、本考案における動物の肉球部位を備えるキーチェーン玩具の請求項１記載の実施形態を示す説明図である。図(a)は全体図を示し、図(b)は分割された状態を示す。本考案の動物の肉球部位を備えるキーチェーン玩具１０は、動物の足型形状を模る足型部位２０と肉球部位２１とで構成されるものであって、足型部位２０はキーチェーン金具３０が設けられるキャップ部２７と収納部２８が設けられる胴部２４に分割され、肉球部位２１はポリエチレンやシリコンなどの軟質な合成樹脂材料で立体的に成型して動物の肉球部位２１を模った形状で配置され、全体足型形状を被毛２６で覆ったものである。
【手続補正６】
【補正対象書類名】明細書
【補正対象項目名】００３４
【補正方法】変更
【補正の内容】
【００３４】図５は、本考案における動物の肉球部位を備えるキーチェーン玩具の別の実施形態を示す説明図である。足型部位２０をキャラクター人形４１を模った形状とするもので、該キャラクター人形４１を人気有名キャラクター人形とすることで、アニメの世界のキャラクター人形４１との擬似的なふれあいが図れるものである。また、スケルトンタイプにすることによって収納部が透視できるため、ユーザー好みの小物を入れたりすることで個性豊かなキーチェーングッズの提供ができるものである。
【手続補正７】
【補正対象書類名】実用新案登録請求の範囲
【補正対象項目名】請求項１
【補正方法】変更
【補正の内容】
【請求項１】
動物の足型形状を模る足型部位と、肉球部位と、で構成される動物の肉球部位を備えるキーチェーン玩具であって、前記足型部位は、キーチェーン金具が設けられるキャップ部と、収納部が設けられる胴部に分割され、前記肉球部位は、軟質な合成樹脂材料で立体的に成型すると共に、動物の肉球部位を模った形状で配置され、全体足型形状を被毛で覆ったことを特徴とする動物の肉球部位を備えるキーチェーン玩具。
【手続補正８】
【補正対象書類名】図面
【補正対象項目名】図５
【補正方法】変更
【補正の内容】
【図５】
0003161540.tif 000008
【手続補正書】
【提出日】平成22年5月17日(2010.5.17)
【手続補正１】
【補正対象書類名】明細書
【補正対象項目名】００１５
【補正方法】変更
【補正の内容】
【００１５】
また、本考案による動物の肉球部位を備えるキーチェーン玩具によれば、足部部位にキーチェーン金具が設けられ、キャップ部と収納部が分割して設けられることで小物入れとして利用できるもので、日常的に使われる、硬貨、お札、お守り、印鑑、薬、リップクリーム、口紅、鍵、筆記具、ゲームコイン、ＵＳＢメモリーなどが収納できる優れた効果を奏する。